(57)【特許請求の範囲】
【請求項１】
眼用眼鏡レンズの反射測定を実行するように適合された支持体であって、
上側部分（４）であって、上側基部要素（４０）と、前記上側部分に対して固定的に定められた各基準位置において前記眼鏡レンズ（５）の第１面（５ａ）とそれぞれ３つの第１点接触を生成するように前記上側基部要素の下端部に強固に配置された３つの第１接触部分（４１〜４３）とを含む、上側部分（４）と、
下側部分（６）であって、下側基部要素（６０）と、前記下側基部要素の上端部から前記下側基部要素の前記上端部を越える各可変距離まで延びるように前記下側基部要素にそれぞれ取り付けられかつ３つの第２点接触を提供できる３つの第２接触部分（６１〜６３）とを含む、下側部分（６）と、
前記第１面（５ａ）と反対の前記眼鏡レンズの第２面（５ｂ）に前記３つの第２点接触が位置付けられた状態で前記眼鏡レンズ（５）が前記第１接触部分（４１〜４３）と前記第２接触部分の間に保持されるように前記第２接触部分（６１〜６３）を前記上側部分に向けて押しながら、前記上側部分（４）及び前記下側部分（６）を各下端部と上端部が互いに向き合った状態で保持する手段と、を含み、
前記上側基部要素（４０）が、前記上側基部要素の反対側の側面に設けられた凹部（４４、４５）を有し、その結果、前記凹部の一方の中を伝播する光束が、前記３つの第１点接触間に位置付けられた測定位置において前記眼鏡レンズ（５）の前記第１面（５ａ）に衝突し、及び前記眼鏡レンズの第１面における前記測定位置からの前記光束の反射方向が、前記凹部の他方を通過し、かつ前記他方の凹部から出る、支持体。
【請求項２】
前記下側部分（４）及び前記上側部分（６）が、前記上側基部要素（４０）の前記下端部から前記下側基部要素（６０）の前記上端部に伸びる軸（Ａ−Ａ）の周りで正しい向きに配置され、それにより、前記３つの第１点接触がそれぞれ、前記軸と平行な方向に沿って、前記３つの第２点接触と一直線上にある、請求項１に記載の支持体。
【請求項３】
前記上側基部要素（４０）の反対側の側面の凹部（４４、４５）が、衝突する光束の伝播方向（Ｄ１）と前記３つの第１点接触を含む面に垂直な方向との間の入射角（α）が１５°〜４５°（両端を含む）の間に含まれるように、設計される、請求項１又は２に記載の支持体。
【請求項４】
前記下側基部要素（６０）が、前記下側基部要素の側面に設けられた消去用凹部（６５）を有し、それにより、前記第１接触部分（４１〜４３）と前記第２接触部分（６１〜６３）の間に保持されている前記眼鏡レンズ（５）を透過する前記光束の一部が、前記眼鏡レンズの前記第２面（５ｂ）を出た後、前記消去用凹部を通って伝播する、請求項１〜３のいずれか一項に記載の支持体。
【請求項５】
前記３つの第１接触部分（４１〜４３）が、前記３つの第１点接触が正三角形を形成するように、前記上側基部要素（４０）の下端部に配置される、請求項１〜４のいずれか一項に記載の支持体。
【請求項６】
前記上側部分（４０）及び下側部分（６０）を保持する前記手段が、前記眼鏡レンズの前記第１面（５ａ）にかかる前記３つの第１接触部分の圧力及び前記眼鏡レンズの前記第２面（５ｂ）にかかる前記３つの第２接触部分の圧力を制限しながら前記眼鏡レンズ（５）を前記３つの第１接触部分（４１〜４３）と前記３つの第２接触部分（６１〜６３）の間に挟んで保持するまで前記下側部分（６）を前記上側部分（４）に向かって移動させるのに適した昇降システムを含む、請求項１〜５のいずれか一項に記載の支持体。
【請求項７】
請求項１〜６のいずれか一項に記載の支持体を含み、さらに光源（１）及び光度センサ（１２）を含む反射測定装置（１００）であって、
光送出ポート（３ｐ）が、前記上側部分（４）及び前記下側部分（６）を保持する前記手段に接続され、それによって、前記光源によって生成される光束が前記光送出ポートから出て、続いて前記上側基部要素（４０）の前記凹部（４４、４５）の１つを通って伝播し、そして前記眼鏡レンズ（５）の前記第１面（５ａ）に衝突するようにし、
光収集ポート（８ｐ）が、前記上側部分及び前記下側部分を保持する前記手段に同じく接続され、それによって、前記光源によって生成されかつ前記眼鏡レンズの前記第１面によって反射された前記光束が、前記上側基部要素の他方の凹部を通過し、続いて前記光収集ポートに入り、前記光度センサに到達するようにする、反射測定装置（１００）。
【請求項８】
前記光源（１）が、２８０ｎｍから７８０ｎｍまでの波長範囲にわたり連続的に分散された放射線を有する前記光束を出力するように適合され、前記装置（１００）がさらに、前記光度センサ（１２）が２８０ｎｍ〜７８０ｎｍの間で選択された波長窓内で放射線を限定的に感知するように構成された放射線セレクタ（１１）を含む、請求項７に記載の装置。
【請求項９】
衝突する前記光束の伝播方向（Ｄ１）と前記３つの第１点接触を含む面に垂直な方向との間の入射角（α）であって、同じく前記垂直な方向と前記眼鏡レンズ（５）の前記第１面（５ａ）によって反射される前記光束の伝播方向（Ｄ２）との間の入射角（α）が、１７°以下である低い方の角度値から、４５°以上である高い方の角度値まで広がる角度範囲内で選択された目標値に設定されるように、前記光送出ポート（３ｐ）及び前記光収集ポート（８ｐ）の両方を移動させるように適合された角度設定システム（１０２）を含む、請求項７又は８に記載の装置。
【請求項１０】
前記上側基部要素（４０）の前記下端部から前記下側基部要素（６０）の前記上端部へ伸びる軸（Ａ−Ａ）に垂直な方向に沿って前記眼鏡レンズ（５）の横方向位置を設定するように適合された横方向位置決めシステム（７）をさらに含み、それにより前記測定位置が、前記眼鏡レンズの横方向位置を設定することによって、前記眼鏡レンズの前記第１面（５ａ）内に選択され、
前記横方向位置決めシステムが、前記眼鏡レンズ（５）の周縁（５ｃ）と接触するように配置されかつ前記測定位置からの分離距離を調整可能である少なくとも１つの当接部分（７１、７２）を含む、請求項７〜９のいずれか一項に記載の装置。
【請求項１１】
請求項７〜１０のいずれか一項に記載の装置を使用して、眼鏡レンズの反射測定を実行する方法であって、
１．既知の曲率値を有する球状の各測定面を有する標準サンプルのセットを提供するステップであって、各標準サンプルが既知の反射値を有し、かつ前記標準サンプルの背面が放射線の反射に寄与しないように設計されているステップと、
２．反射測定される前記眼鏡レンズ（５）を得て、及び前記反射測定が実行される前記眼鏡レンズの面（５ａ）の平均曲率値を得るステップと、
３．選択される標準サンプルの曲率値が、反射測定される前記眼鏡レンズ面（５ａ）の平均曲率値に一致するように、前記標準サンプルの１つを選択するステップと、
４．選択された前記標準サンプルが前記支持体に保持された状態で前記装置（１００）を使用し、第１反射測定を実行し、前記光度センサ（１２）から第１光度値を得るステップと、
５．前記支持体において前記標準サンプルを前記眼鏡レンズ（５）で置き換え、第２反射測定を実行し、前記光度センサ（１２）から第２光度値を得るステップと、
６．ステップ３で選択された前記標準サンプルの反射値を、ステップ４及び５でそれぞれ得られた前記第１及び第２光度値と組み合わせることによって前記眼鏡レンズ面（５ａ）の反射値の結果を得るステップと、を含み、
前記標準サンプルの既知の反射値、及びステップ４及び５で実行された測定が、同じ入射角（α）値及び同じ波長窓に関係している、方法。
【発明の詳細な説明】
【技術分野】
【０００１】  本発明は、眼鏡レンズの反射測定を実行するための、支持体、装置及び方法に関する。特に、反射測定は、可視、ＵＶＡ及びＵＶＢ光線の波長範囲にあってもよい。【０００２】  そのような測定は特に、可視光線に対する眼鏡レンズの反射防止効果を数値化するのに有用であり得る。【０００３】  同じく、眼鏡レンズによって着用者へ提供されるＵＶ危険性に対する保護を数値化するのに有用であり得る。
【背景技術】
【０００４】  反射光測定及び偏光解析などの公知の光学的分析技術は、反射測定を必要とする。また、これら技術を可能にするために多数の装置が商業的に入手できる。【０００５】  しかし、これらの装置は、サンプル上で平坦な反射面を使用して反射測定を実行するように設計されている。例えば、測定されるサンプルは、マイクロ電子用途に使用されるような薄膜を備えたシリコンウェハである。またそれらは、例えば建築若しくは自動車窓ガラス、又はディスプレイパネルの製造を考慮して、コーティングが施された平坦なガラスサンプルであり得る。【０００６】  しかしながら、眼鏡レンズに実行される反射測定が、特に、反射防止コーティングを有する眼鏡レンズの残留反射を数値化するために、及びＵＶ光線の危険性に対して眼鏡レンズ着用者に提供された保護効果を数値化するために、必要とされる。反射防止コーティングを有する眼鏡レンズに関して、測定は、可視光線、すなわち３８０ｎｍ（ナノメートル）から７８０ｎｍに含まれる波長範囲、及び１７°（度）以下の入射角を扱う。ＵＶ保護率に関して、測定は、２８０ｎｍ〜３８０ｎｍの波長値を有するＵＶ−Ａ及びＵＶ−Ｂ光線、及び３０°などの入射角値、さらには４５°などの入射角値も扱う。【０００７】  しかし、眼鏡レンズ面の湾曲形状、凹状又は凸状のどちらかのせいで、現在利用できる装置は、眼鏡レンズの反射測定を実行できない。実際に、これらの装置は、湾曲したサンプル面を測定光束に曝すように、及びこの面において測定位置でサンプル面の高さを制御するように設計されていない。さらに、測定される面の湾曲の光学的結果に注意が特別に払われない場合、サンプル面の湾曲が測定結果に誤差を引き起こす。
【発明の概要】
【発明が解決しようとする課題】
【０００８】  この既存の状況から始まって、本発明の１つの目的は、簡単かつ効率的な方法で、及び高い測定精度で、眼鏡レンズの反射測定を可能にすることである。【０００９】  本発明の別の目的は、同一の装置を使用して、可視波長範囲において反射防止コーティング効果を備えた眼鏡レンズの残留反射の数値化を可能にすることであるが、同じく眼鏡レンズ着用者に提供されたＵＶ保護の評価を可能にすることである。【００１０】  本発明のさらに別の目的は、眼鏡レンズを損傷することも眼鏡レンズの永久的変質を必要とすることもなく、眼鏡レンズの反射を測定することである。
【課題を解決するための手段】
【００１１】  これら目的又はその他の少なくとも１つを達成するために、本発明は、眼用眼鏡レンズの反射測定を実行するように適合された新規支持体を提案する。支持体は、
・上側部分であって、それ自体が上側基部要素と、上側部分に対して固定的に定められた各基準位置において眼鏡レンズの第１面とそれぞれ３つの第１点接触を生成するように上側基部要素の下端部に強固に配置された３つの第１接触部分とを含む、上側部分と、
・下側部分であって、それ自体が下側基部要素と、この下側基部要素の上端部から下側基部要素の上端部を越える各可変距離まで延びるように下側基部要素にそれぞれ取り付けられ、かつ３つの第２点接触を提供できる３つの第２接触部分とを含む、下側部分と、
・第１面と反対の眼鏡レンズの第２面に３つの第２点接触が位置付けられた状態で眼鏡レンズが第１接触部分と第２接触部分の間に保持されるように第２接触部分を上側部分に向けて押しながら、上側部分及び下側部分をそれらの各下端部と上端部が互いに向き合う状態で保持する手段と、
を含む。【００１２】  さらに、上側基部要素は、この上側基部要素の反対側の側面に設けられた凹部を有し、その結果、これら凹部の一方の中を伝播する光束が、３つの第１点接触間に位置付けられた測定位置において眼鏡レンズの第１面に衝突することができ、及び眼鏡レンズの第１面における測定位置からの光束の反射方向が、凹部の他方の１つを通過し、かつこの他方の凹部から出る。【００１３】  従って、本発明の支持体を用いて、眼鏡レンズが上側部分と下側部分の間に挟まれ、それにより、眼鏡レンズの保持を簡単、容易かつ迅速に得ることができる。上側部分の接触部分は、測定される眼鏡レンズ面の高さ基準を形成し、高さ基準はこの面の湾曲形状に適合する。同じく、支持体の下側部分の接触部分は、それがどのようなものであろうと眼鏡レンズの他方の面の形状に従うことができる。従って、本発明の支持体によって、眼鏡レンズの反射測定面が支持体の上側部分の接触部分に正確に押されることが確実になる。従って反射測定面の高さは正確に制御される。【００１４】  本発明の好ましい実施形態は、以下の改良を、別々に、又はそれらのいくつかを組み合わせて、実行してもよい。【００１５】  ・下側部分及び上側部分は、上側基部要素の下端部から下側基部要素の上端部に向かって延びる軸の周りで正しい向きに配置されてもよく、それにより、３つの第１点接触はそれぞれ、軸と平行な方向に沿って、３つの第２点接触と一直線上にある。このようにして、眼鏡レンズを保持するのに必要な挟む力によって生じ得る眼鏡レンズのいかなる変形も回避することができる。【００１６】  ・上側基部要素の反対側の側面の凹部は、衝突する光束の伝播方向と、３つの第１点接触を含む面に垂直な方向との間の入射角が１５°〜４５°（両端を含む）の間に含まれるように、設計されてもよい。【００１７】  ・下側基部要素は、この下側基部要素の側面に設けられた消去用凹部を有してもよく、それにより、第１接触部分と第２接触部分の間に保持されているとき眼鏡レンズを透過する光束の一部が、眼鏡レンズの第２面を出た後、消去用凹部を通って伝播する。【００１８】  ・３つの第１接触部分は、それらが正三角形を形成するように上側基部要素の下端部に配置されてもよい。従って支持体は、反射測定される眼鏡レンズの第１面のあり得る形状の大部分に最適な方法で合うことができる。【００１９】  ・上側部分及び下側部分を保持する手段は、眼鏡レンズの第１面にかかる３つの第１接触部分の圧力及び眼鏡レンズの第２面にかかる３つの第２接触部分の圧力を制限しながら眼鏡レンズを３つの第１接触部分と３つの第２接触部分の間に挟んで保持するまで下側部分を上側部分に向かって移動させるのに適した昇降システムを含んでもよい。従って眼鏡レンズ面は両面において接触部分によって損傷されず、及び眼鏡レンズは迅速かつ容易な実装操作で本発明の支持体に導入することができる。【００２０】  本発明はまた、ちょうどリストアップした改良を場合により有する、ちょうど記載したような支持体を含む反射測定装置を提案する。装置はさらに、光源、光度センサ、光送出ポート及び光収集ポートを含む。光送出ポートは、上側部分及び下側部分を保持する手段に接続され、そ��により、光源によって生成される光束が光送出ポートから出て、続いて上側基部要素の凹部の１つを通って伝播し、そして眼鏡レンズの第１面に衝突するようにする。光収集ポートは同じく上側部分及び下側部分を保持する手段に接続され、それにより、光源によって生成されかつ眼鏡レンズの第１面によって反射された光束が、上側基部要素の他方の凹部を通過し、続いて光収集ポートに入り、光度センサに到達するようにする。【００２１】  本発明の装置のいくつかの実施形態では、光源は、２８０ｎｍから７８０ｎｍまでの波長範囲にわたり連続的に分散された放射線を有する光束を出力するように適合されてもよい。装置はさらに、光度センサが２８０ｎｍ〜７８０ｎｍの間で選択された波長窓（ｗａｖｅｌｅｎｇｔｈ  ｗｉｎｄｏｗ）内で放射線を限定的に感知するように構成された放射線セレクタを含んでもよい。【００２２】  装置はまた、衝突する光束の入射角であって、同じく３つの第１点接触を含む面に垂直な方向と眼鏡レンズ第１面によって反射される光束の伝播方向との間に存在する入射角を目標値に設定できるように光送出ポート及び光収集ポートの両方を移動させるように適合された角度設定システムを含んでもよい。この目標値は、１７°以下である低い方の角度値から、４５°以上である高い方の角度値まで広がる角度範囲内に選択されてもよい。【００２３】  別個に又は角度設定システムと組み合わせて、装置はまた、上側基部要素の下端部から下側基部要素の上端部へ伸びる軸に垂直な方向に沿って眼鏡レンズの横方向位置を設定するように適合された横方向位置決めシステムを含んでもよい。測定位置はその後、横方向位置決めシステムを設定することによって、眼鏡レンズの第１面内に選択することができる。この横方向位置決めシステムは、眼鏡レンズの周縁と接触するように配置されかつ測定位置からの分離距離を調整可能な少なくとも１つの当接部分を含んでもよい。横方向位置決めシステムはまた、眼鏡レンズの直径に基づく設定装置を含んでもよく、それによって測定位置を、眼鏡レンズの周縁又は中心点からの分離距離によって、識別することができる。【００２４】  本発明はさらに、上に記載したような装置を使用して、眼鏡レンズの反射測定を実行する方法を提案し、方法は以下のステップ：
１．既知の曲率値を有する球状の各測定面を有する標準サンプルのセットを提供するステップであって、各標準サンプルは既知の反射値を有し、かつこの標準サンプルの背面が放射線の反射に寄与しないように設計されているステップと、
２．反射測定される眼鏡レンズ、及びまた反射測定が実行されるこの眼鏡レンズの面の平均曲率値を得るステップと、
３．選択された標準サンプルの曲率値が、反射測定される眼鏡レンズ面の平均曲率値に一致するように、標準サンプルの１つを選択するステップと、
４．選択された標準サンプルが支持体に保持された状態で装置を使用し、第１反射測定を実行し、光度センサから第１光度値を得るステップと、
５．支持体において標準サンプルを眼鏡レンズで置き換え、第２反射測定を実行し、光度センサから第２光度値を得るステップと、
６．ステップ３で選択された標準サンプルの反射値を、ステップ４及び５でそれぞれ得られた第１及び第２光度値と組み合わせることによって眼鏡レンズ面の反射値の結果を得るステップと、
を含む。【００２５】  本発明の方法において、標準サンプルの既知の反射値、及びステップ４及び５で実行された測定は、同一の入射角値及び同一の波長窓に関係している。このような方法は、眼鏡レンズなどの湾曲した光反射面を有するサンプルの反射を測定するのに適し、測定結果が測定面の曲率によって乱されない。
【図面の簡単な説明】
【００２６】
【図１】本発明による反射測定装置の概略的な正面図である。
【図２ａ】図１による装置で使用されるような、本発明による眼鏡レンズ支持体の上側部分の斜視図である。
【図２ｂ】図１による装置で使用されるような、本発明による眼鏡レンズ支持体の上側部分の上面図である。
【図３】本発明による眼鏡レンズ支持体の下側部分の斜視図である。
【図４】図１の装置の中央部分の拡大図である。
【図５】図１の装置に実装される横方向位置決め装置の上面図である。
【発明を実施するための形態】
【００２７】  明確にするため、これら図に示される要素は、実際の寸法及び実際の寸法の比率に合わせて描かれていない場合がある。さらに、異なる図で使用される同じ参照番号は、同じ要素を示す。
【００２８】  図１によれば、全体的に１００で示される反射測定装置は、
・光源１、
・光送出ポート３ｐを備えた光送出ヘッド３、
・光源１によって生成された光束を光送出ヘッド３へ導く第１光ファイバ２、
・光収集ポート８ｐを備えた光収集ヘッド８、
・光収集ヘッド８によって収集された光を光度センサへ導く第２光ファイバ９、
・任意選択的に、所望の波長窓に含まれる波長を有する放射線を、収集された光の中で選択するように設計された放射線セレクタ１１、及び
・光度センサ１２、
を含む。
【００２９】  参照番号５は、上側光学面５ａと下側光学面５ｂとを備えた、反射測定される眼鏡レンズを示す。眼鏡レンズ面５ａが反射測定される面である。例えば、眼鏡レンズ面５ａは凹状であり、眼鏡レンズ面５ｂは凹状である。次に、光送出ポート３ｐによって出力される光束が眼鏡レンズ面５ａに導かれ、この光束の反射される部分が光収集ポート８ｐに入る。参照番号５’は、装置１００における眼鏡レンズ５の別の位置決めを示し、それにより反射測定は光学面の凸面で実行される。Ｄ１は光送出ヘッド３によって出力された光束の伝播方向を示し、Ｄ２は、光収集ヘッド８に向かう、光束の反射された部分の伝播方向を示す。
【００３０】  Ａ−Ａは装置１００の軸を示し、それは測定位置において眼鏡レンズ５の面５ａに対して垂直であるよう意図されている。従って、方向Ｄ１及びＤ２は軸Ａ−Ａに対して対称であり、軸Ａ−Ａと方向Ｄ１との間に入射角αが存在する。角度αは、軸Ａ−Ａと方向Ｄ２との間に存在する反射角でもある。角度定規１０１及び１０２は、反射光束部分を収集するために、ヘッド３及びヘッド８の入射角αの調整を可能にするように設計されている。例えば、装置１００は、入射角αを１０°〜７０°の範囲の値に設定できるように設計されている。
【００３１】  眼鏡レンズ５の支持体は、それ自体、上側部分４、下側部分６、及び上側部分４と下側部分６を装置１００の他の構成要素に対して保持する基部を含む。実際に、基部は、装置１００全体の支持フレームと一体であってもよい。好ましくは、基部は、支持体上側部分４を支持フレームに対して強固に保持する。
【００３２】  参照番号７は、軸Ａ−Ａに対して垂直な方向に沿って眼鏡レンズ５の位置を調整するさらなるシステムを示す。システム７については以下で記載する。
【００３３】  光源１は所望の波長範囲内の測定に適した任意の種類のものであってよい。例えば、重水素ランプとタングステンランプの組合せは、ＵＶ−Ｂ、ＵＶ−Ａ及び可視光線に対応する２８０ｎｍ〜７８０ｎｍの範囲の波長の測定に適している。
【００３４】  光送出ヘッド３及び光収集ヘッド８はそれぞれ、対応するファイバ２又は９と眼鏡レンズ５の面５ａの測定位置との間で光束を断面形状に適合するのに適した任意の光学構造を有してもよい。例えば、各ヘッド３、８は、測定位置において２ｍｍの断面直径を有する光束を生成するように選択された２つのレンズを含んでもよい。
【００３５】  放射線セレクタ１１及び光度センサ１２は、任意の種類の市販の分光光度計１０内に含まれてもよい。
【００３６】  図２ａ及び２ｂによれば、支持体の上側部分４は、上側基部要素４０と、３つの接触部分４１、４２及び４３とを含む。部分４１〜４３はそれぞれ、基部要素４０にしっかり固定されたロッドから構成されてもよく、ロッドは球面状のロッドの自由端を有しかつ基部要素４０の下面から延びている。基部要素４０は装置１００の中にしっかり維持され、例えば、接触部分４１〜４３は下方に向けられている。接触部分４１〜４３のロッドは平行であり、軸Ａ−Ａ上に突出して共通高さまで下方へ延びる。各ロッドの基部要素４０からの延在長さは、約１．２ｍｍ（ミリメートル）〜３ｍｍの間に含まれてもよい。さらに、接触部分４１〜４３は、例えば１０．８ｍｍの辺長を有する正三角形を構成するように基部要素４０の下面に分散され、かつ軸Ａ−Ａを中心にして配置されてもよい。
【００３７】  図３によれば、眼鏡レンズ支持体の下側部分６は、互いに同一でありかつ上方へ向けられる３つの後退可能なフィンガ６１、６２及び６３を備えた下側基部要素６０から構成される。フィンガ６１〜６３のそれぞれは剛性ロッドから構成され、剛性ロッドは、下側基部要素６０の上面から軸Ａ−Ａと平行に延出するが、ロッドと下側基部要素６０との間に取り付けられたばね６４により突出長さは可変である。好ましくは、フィンガ６１〜６３はそれぞれ、下側基部要素６０の上面に、接触部分４１〜４３と一直線上に、軸Ａ−Ａと平行な方向に沿って、配置される。フィンガ６１〜６３を形成するロッドの上端部はまた、さらなる接触部分を形成するように、半球として成形されてもよい。
【００３８】  支持体の下側基部要素６０は、装置１００に対して移動可能な昇降システムに取り付けられてもよい（図４）。例えば、昇降システムは、装置１００の底部１０１内を摺動できるように、軸Ａ−Ａに沿って向けられた円筒状の固体部材１０１から構成されてもよい。下側部分６が上側部分４と衝突することを回避するようにストッパ要素１１２が底部１０１と当接するまで、ばね１１１が部材１１０を支持体の下側部分６と一緒に上方へ押す。
【００３９】  従って、眼鏡レンズ５は、昇降システムを下方へ引くことによって、続いてばね１１１に下側基部要素６０を上方へ押させることによって、上側部分４と下側部分６の間に挿入することができる。従って眼鏡レンズ５は、部分４１〜４３が上面５ａと接触し、かつフィンガ６１〜６３が眼鏡レンズ下面５ｂと接触した状態で、挟まれる。全ての接触は点接触であるが、眼鏡レンズ面５ａ及び５ｂを傷つけないように十分軟らかい。好ましくは、各ばね６４は昇降システムのばね１１１と比べて約３分の１の剛性である。このようにして、接触部分４１〜４３及びフィンガ６１〜６３が眼鏡レンズ５の周縁５ｃ内に位置付けられるという条件で、眼鏡レンズ５は、面５ａ内の任意の位置を軸Ａ−Ａ上に配置するように、装置１００の中に保持することができる（図５参照）。その後、反射測定はこの位置で実行される。
【００４０】  接触部分４１〜４３は互いに近いので、眼鏡レンズ面５ａの高さは、面５ａの湾曲にもかかわらず、これら接触部分間でほぼ一定である。この高さは、上側基部要素４０を軸Ａ−Ａに沿って位置付けることによって正確に制御される。入射角αが何度であろうとも、光送出ヘッド３により出力される光束が面５ａによって反射され、反射された光束が光収集ポート８ｐに入るように、高さが設定される。上側基部要素４０にはさらに２つの凹部４４及び４５が設けられ、それらは、いかなる入射角度αの値の場合でも、入射光束及び反射光束が上側基部要素４０自体によって妨げられることを回避するのに適している。凹部４４及び４５は上側基部要素４０の反対側側面に機械加工される溝であってもよい。眼鏡レンズ５の両面５ａ及び５ｂ間の軸Ａ−Ａに沿った高さの違いのため、及びまた、測定位置における両面５ａ及び５ｂ間に存在するあり得る非ゼロプリズムのため、面５ｂによって上方へ反射されるさらなる光束部分は光収集ポート８ｂに入らず、その結果、測定された反射の値に加わらない。
【００４１】  さらに、眼鏡レンズ５を透過する光束の部分を抑制するか捨てる何らかの方法が実行されてもよい。そのような眼鏡レンズ５を透過する光の抑制は、反射測定値の正確性の改善に関与し得る。これは、特に、反射光束の低光度の場合、例えば眼鏡レンズ５の面５ａに反射防止コーティングが施されている場合、重要であり得る。このため、消去用凹部６５（図３及び４参照）が下側基部要素６０に、その衝突する光束側の反対の側面において、設けられてもよい。凹部６５は下側基部要素６０に、その上面及び上側から軸Ａ−Ａに向けて機械加工された溝であってもよい。このようにして、眼鏡レンズ５を透過しかつその第２面５ｂから出る光束の部分は、捨てられた使用する何らかの適切な方法の、それのものが捕捉され、離れた所へ反射されるまで、凹部６５を通って伝播することができる。
【００４２】  横方向位置付けシステム７により測定位置を眼鏡レンズ面５ａ内で選択することが可能になる。図５によって示されるように、システム７は、互いに垂直に向けられた縁部において眼鏡レンズ５の周縁５ｃと接触するように作られた２つの当接部分７１及び７２を含んでもよい。部分７１及び７２を設定するために目盛り付き定規７３及び７４が設けられてもよい。眼鏡レンズの直径値に基づいて眼鏡レンズの位置決めをさらに容易にするために、追加の設定装置７５及び直径定規７６が任意選択的に設けられてもよい。設定装置７５及び定規７６を用いて眼鏡レンズ５の実際の直径値が適切に選択されると、部分７１の設定により測定位置と眼鏡レンズ周縁５ｃとの間の距離を調整することが可能になる。その後部分７２が後方にストッパ部品７７に対して置かれる。最初に設定装置７５を用いて眼鏡レンズ直径の実際値を選択することによって、測定位置を眼鏡レンズ５の中心点を参照して選択できることが可能になる。従って、眼鏡レンズ中心かその周縁５ｃのどちらかを参照して、測定位置を眼鏡レンズ面５ａ内で選択することが可能である。
【００４３】  次に、装置１００を使用して眼鏡レンズ５の反射を測定する方法を記載する。最初、光送出ヘッド３及び光収集ヘッド８を、入射角αの所望の値に従って設定する。測定波長窓も同じく選択される。好ましくは、この波長窓は、単色光を使用して測定を実行することが考慮できるように、非常に狭い。
【００４４】  曲率値が眼鏡レンズ５の平均曲率値に等しい球面を有する標準サンプルを得る。同じく、標準サンプルの凹対凸のタイプは、反射測定されるよう意図された眼鏡レンズ５の面５ａのそれと同一である。平均曲率値は、眼鏡レンズ面５ａの、面に平行かつ互いに垂直な２つの方向に沿った最大曲率値と最小曲率値の合計の半分に等しい。眼鏡レンズ５が累進焦点型であるとき、平均曲率値は面５ａ内で測定位置が移動すると変化する。従って、標準サンプルは、その曲率が測定位置において眼鏡レンズ面５ａのそれと一致するように選択されるべきである。実際には、標準サンプルの曲率値が眼鏡レンズ面５ａの平均曲率値に正確に等しいことは必要ない。両方の値が例えば１ジオプトリ未満、好ましくは０．５ジオプトリ未満の差で近ければ充分である。本発明の方法を用いていかなる眼鏡レンズの測定も可能にするために、一連の標準サンプルが設けられてもよく、その各曲率又は曲率半径は増分的に、例えば曲率において０．２５又は０．５ジオプトリの増分で変化する。一般的に、曲率半径は、凹面標準サンプルの場合、７０〜１６０ｍｍまで、凸面標準サンプルの場合、８０〜７６０ｍｍまで変化し得る。背面において光束の不要な反射を抑制するために、標準サンプルの背面は黒くされてもよく、又は標準サンプルの材料は吸光性であってもよい。
【００４５】  標準サンプルの反射値Ｒ１は、入射角及び波長に選択された値について知られている。別の方法を使用して測定されたため、又は供給されている表から読むことができるため、又は標準サンプルの材料の光学的屈折率から計算できるためである。例えば、この材料は、クラウンガラスＢＫ７であってもよい。
【００４６】  標準サンプルは、サンプル支持体の上側部分４と下側部分６の間に挿入され、反射測定が実行される。この結果、センサ１２によって検出される光度Ｉ１がもたらされる。
【００４７】  次に、標準サンプルはサンプル支持体の中で眼鏡レンズ５と置き換えられ、反射測定の結果、センサ１２によって検出される光度Ｉ２がもたらされる。
【００４８】  次に眼鏡レンズ面５ａの反射値を、Ｒ１×Ｉ２／Ｉ１として計算することができる。センサ１２によって出力された感知信号が光度に比例しない場合、他の値の組合せを代わりに使用することもできる。
【００４９】  本発明は、測定面上に反射防止コーティングをそれぞれ施された眼鏡レンズの残留反射を測定するために利用することができる。このため、入射角は１７°以下に、例えば１５°に設定されてもよく、測定波長は３８０ｎｍ（ナノメートル）から７８０ｎｍまで変化してもよい。
【００５０】  本発明の別の利用は、眼鏡レンズの背面の、その周縁近くのＵＶ光線の反射の測定に対処し、例えば眼鏡レンズ着用者の背後から発生し、側頭側で眼鏡レンズ背面に衝突し、その後着用者の目に入り得るＵＶ光線の量を数値化する。この他の利用のため、入射角は３０°又は４５°に設定されてもよく、測定波長は２８０ｎｍから３８０ｎｍまで変化してもよい。
【図１】
0005671662.tif 000002
【図２ａ】
0005671662.tif 000003
【図２ｂ】
0005671662.tif 000004
【図３】
0005671662.tif 000005
【図４】
0005671662.tif 000006
【図５】
0005671662.tif 000007